(57)【要約】【課題】音質を向上させつつ、目立たない位置に配置できるスピーカシステムを提供する。【解決手段】フロントパネル３０Ｆとリアパネル３０ＲＥと左サイドパネル３０Ｌと右サイドパネル３０Ｒとトップパネル３０Ｔとベースパネル３０Ｂとから成り、水平方向を長手として垂直方向を短手とするスピーカハウジング３０と、スピーカハウジング３０に収容される一式のフロントスピーカＳＰＬ、ＳＰＲ、ＳＰＣと一式のサラウンドスピーカＳＳＬ、ＳＳＲと一式のウーファスピーカＷＳＬ、ＷＳＲと、から成るスピーカシステム３を提供する。このスピーカシステム３では、一式のサラウンドスピーカＳＳＬ、ＳＳＲが、リア方向に向けて配置される。【選択図】図６
2009055450.tif 000002
【特許請求の範囲】
【請求項１】
フロントパネルとリアパネルと左サイドパネルと右サイドパネルとトップパネルとベースパネルとから成り、水平方向を長手として垂直方向を短手とするスピーカハウジングと、
前記スピーカハウジングに収容される一式のフロントスピーカと一式のサラウンドスピーカと一式のウーファスピーカと、
から成るスピーカシステムであって：
前記一式のサラウンドスピーカは、リア方向に向けて配置されることを特徴とする、スピーカシステム。
【請求項２】
前記一式のサラウンドスピーカは、前記スピーカハウジングの左右サイドにそれぞれ配置され、
前記左右サイドパネルには、前記一式のサラウンドスピーカに対応してそれぞれ孔が設けられていることを特徴とする、請求項１に記載のスピーカシステム。
【請求項３】
前記左右サイドパネルには、前記孔のリア側において左右方向に張り出すリブが形成されていることを特徴とする、請求項２に記載のスピーカシステム。
【請求項４】
前記リブは、フロント方向に傾斜する面を有していることを特徴とする、請求項３に記載のスピーカシステム。
【請求項５】
前記リアパネルには、前記一式のサラウンドスピーカに対応して孔が設けられていることを特徴とする、請求項１に記載のスピーカシステム。
【請求項６】
前記孔は、サイド方向に偏心して設けられていることを特徴とする、請求項５に記載のスピーカシステム。
【請求項７】
前記孔は、多孔として構成されていることを特徴とする、請求項５に記載のスピーカシステム。
【請求項８】
フロントパネルとリアパネルと左サイドパネルと右サイドパネルとトップパネルとベースパネルとから成り、水平方向を長手として垂直方向を短手とするスピーカハウジングと、
前記スピーカハウジングに収容される一式のフロントスピーカと一式のサラウンドスピーカと一式のウーファスピーカと、
から成るスピーカシステムであって：
前記一式のウーファスピーカは、リア方向に向けて配置されることを特徴とする、スピーカシステム。
【請求項９】
前記一式のウーファスピーカは、前記スピーカハウジングの左右サイドにそれぞれ配置され、
前記スピーカハウジング内には、前記各ウーファスピーカの後方からセンタ方向に向かって延伸しセンタ位置において前記ベースパネルに開口するバスレフダクトが形成されていることを特徴とする、請求項８に記載のスピーカシステム。
【請求項１０】
前記バスレフダクトは蛇腹状に形成されていることを特徴とする、請求項９に記載のスピーカシステム。
【請求項１１】
前記バスレフダクトの開口はフレア状に形成されていることを特徴とする、請求項９に記載のスピーカシステム。
【請求項１２】
前記リアパネルには、前記一式のウーファスピーカに対応して孔が設けられていることを特徴とする、請求項８に記載のスピーカシステム。
【請求項１３】
前記孔は、多孔として形成されていることを特徴とする、請求項１２に記載のスピーカシステム。
【発明の詳細な説明】
【技術分野】
【０００１】
本発明は、スピーカシステムに関する。
【背景技術】
【０００２】
近年、例えば液晶表示装置や有機電界発光表示装置などの平板表示装置の登場に伴い、大画面の映像及び高音質なサウンドにより映像及びサウンドを楽しむホームシアターシステムが開発されている。このホームシアターシステムは、例えば、大型の平板表示装置と、５．１ｃｈ、７．１ｃｈサラウンドシステム用の複数のスピーカを有し、装置が大型化している。大型な装置は、配置空間中をしめる割合も大きく、配置空間の雰囲気を左右するため、ユーザは配置空間と調和したデザインのホームシアターシステムを好む傾向にある。
【発明の開示】
【発明が解決しようとする課題】
【０００３】
そこで、近年ホームシアターシステムを配置空間と調和させつつ装置の配置をコンパクトにすることが可能な、スピーカが内蔵された収納ラックが開発されている。
【０００４】
この収納ラックは、通常の５．１ｃｈや７．１ｃｈサラウンドスピーカシステムにおいてユーザの後方に配置されるサラウンドスピーカ（リアスピーカ）、およびウーファスピーカを含む複数のスピーカを内蔵している。よって、収納ラックは、サラウンドスピーカ及びウーファスピーカを目立たない位置に配置するため、配置空間と調和しつつ配置されうる。
【０００５】
このような収納ラックでは、サラウンドスピーカが、収納ラックの前面に配置して、その放射面を前面又は前面から傾斜した軸上に配置している。よって、サラウンドスピーカとウーファスピーカと他のスピーカの配置位置を確保したり、ウーファスピーカのバスレフを配置する空間を確保する必要がある。しかしながら、例えば意匠的な制約によりサラウンドスピーカやウーファスピーカを配置できない場合がある。また、サラウンドスピーカやウーファスピーカを内部に配置した場合には、収容ラックがある程度大きくなる。このような収容ラックの大きさを気にするユーザもおり、さらに配置空間の雰囲気に調和することが可能なスピーカシステムが希求されている。
【０００６】
また、上記の収納ラックは、音質を損なうことを防止しつつサラウンドスピーカをユーザの前方に配置するが、ユーザは更なる高音質化を望んでいるという現状がある。
【０００７】
そこで、本発明は、上記問題に鑑みてなされたものであり、本発明の目的とするところは、音質を向上させつつ、目立たない位置に配置することが可能な、新規かつ改良されたスピーカシステムを提供することにある。
【課題を解決するための手段】
【０００８】
上記課題を解決するために、本発明のある観点によれば、フロントパネルとリアパネルと左サイドパネルと右サイドパネルとトップパネルとベースパネルとから成り、水平方向を長手として垂直方向を短手とするスピーカハウジングと、スピーカハウジングに収容される一式のフロントスピーカと一式のサラウンドスピーカと一式のウーファスピーカと、から成るスピーカシステムであって、一式のサラウンドスピーカは、リア方向に向けて配置されることを特徴とする、スピーカシステムが提供される。
【０００９】
この構成によれば、一式のサラウンドスピーカが、リア方向に向けて配置することができるので、各スピーカの配置位置の自由度を増すことができる。また、一式のサラウンドスピーカからの音は、スピーカシステムの後方に発せられるので、音に広がりを持たせることができる。
【００１０】
また、一式のサラウンドスピーカは、スピーカハウジングの左右サイドにそれぞれ配置され、左右サイドパネルには、一式のサラウンドスピーカに対応してそれぞれ孔が設けられていてもよい。この構成のよれば、サイドパネルの孔により、一式のサラウンドスピーカからの音を、スピーカハウジングの左右方向の外側に回り込ませることができる。
【００１１】
また、左右サイドパネルには、孔のリア側において左右方向に張り出すリブが形成されていてもよい。この構成によれば、リブにより、サイドパネルの孔から発せられる一式のサラウンドスピーカからの音を、更にスピーカハウジングの左右方向の外側に回り込ませることができる。また、この音をリブにより反射してスピーカハウジングの左右方向の外側からフロント方向へと回り込ませることができる。
【００１２】
また、リブは、フロント方向に傾斜する面を有していてもよい。この構成によれば、リブの傾斜面により、スピーカハウジングの左右方向の外側から更にフロント方向へと回り込ませることができる。
【００１３】
また、リアパネルには、一式のサラウンドスピーカに対応して孔が設けられていてもよい。この構成によれば、一式のサラウンドスピーカからの音を、孔を介して後方に発することができる。
【００１４】
また、孔は、サイド方向に偏心して設けられていてもよい。この構成によれば、この孔を介して発せられる一式のサラウンドスピーカからの音を、リア方向からサイド方向へと偏向させることができる。
【００１５】
また、孔は、多孔として構成されていてもよい。この構成のよれば、この孔を介して発せられる音の音量を、多孔により調整することができる。
【００１６】
また、上記課題を解決するために、本発明の別の観点によれば、フロントパネルとリアパネルと左サイドパネルと右サイドパネルとトップパネルとベースパネルとから成り、水平方向を長手として垂直方向を短手とするスピーカハウジングと、スピーカハウジングに収容される一式のフロントスピーカと一式のサラウンドスピーカと一式のウーファスピーカと、から成るスピーカシステムであって、一式のウーファスピーカは、リア方向に向けて配置されることを特徴とする、スピーカシステムが提供される。
【００１７】
この構成によれば、一式のウーファスピーカが、リア方向に向けて配置することができるので、各スピーカの配置位置の自由度をますことができる。また、一式のウーファスピーカからの音は、スピーカシステムの後方に発せられるので、音に広がりを持たせることができる。
【００１８】
また、一式のウーファスピーカは、スピーカハウジングの左右サイドにそれぞれ配置され、スピーカハウジング内には、各ウーファスピーカの後方からセンタ方向に向かって延伸しセンタ位置においてベースパネルに開口するバスレフダクトが形成されていてもよい。この構成によれば、スピーカシステム内にバスレフダクトを収容することができ、このバスレフダクトにより、一式のウーファスピーカの背面からの音を共振させて、スピーカユニットの下方に発することができる。よって、低音域の音を増強し、かつ、バスレフダクトの開口を目立たなくすることができる。また、指向性の低い低音を下方に発することにより、床面等に反射させることにより拡散させることができる。
【００１９】
また、バスレフダクトは蛇腹状に形成されていてもよい。この構成によれば、バスレフダクトの全長を延長することができる。よって、更に重低音域の音を共振させて増強することができる。
【００２０】
また、バスレフダクトの開口はフレア状に形成されていてもよい。この構成によれば、バスレフダクトから発せられる音を、拡散させることができる。
【００２１】
また、リアパネルには、一式のウーファスピーカに対応して孔が設けられていてもよい。この構成によれば、一式のウーファスピーカからの音を、孔を介して後方に発することができる。
【００２２】
また、孔は、多孔として形成されていてもよい。この構成のよれば、この孔を介して発せられる音の音量を、多孔により調整することができる。また、多孔により、一式のウーファスピーカからの音を拡散させることもできる
【発明の効果】
【００２３】
以上説明したように本発明によれば、音質を向上させつつ、目立たない位置に配置できる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
＜第１実施形態＞
図１は、本発明の第１実施形態に係るスピーカシステムを有するホームシアターシステムを説明するための説明図である。図１に示すように、本実施形態に係るスピーカシステム３は、Ｌ字スタンド１に支持されて中空に配置される。そして、このＬ字スタンド１には、例えば液晶表示装置・有機電界発光表示装置などの平板表示装置２も支持される。尚、スピーカシステム３は、Ｌ字スタンド１に支持される場合に限定されず、例えば壁にかけられてもよく、他のスタンドに支持されてもよい。また、このホームシアターシステムは、例えば壁面に接近して配置されたり、背面が壁面に接触した状態で配置されるが、ホームシアターシステムの配置位置は、この例に限定されるものではない。
【００２６】
尚、以下では、ｘ軸正の方向、つまりユーザがホームシアターシステムに対面した場合のユーザが位置する方向を、『フロント』ともいう。つまり、フロントとは、ホームシアターシステムの前面（正面）を意味する。また、ｘ軸負の方向、つまり、ホームシアターシステムの後面（背面）の方向を、『リア』ともいう。さらに、ホームシアターシステムのｙ軸方向の両側の方向、つまり側方を、『サイド』ともいい、ｙ軸正の方向を『右サイド』や『右』、ｙ軸負の方向を『左サイド』や『左』ともいう。つまり、右サイド及び左サイドのそれぞれは、ユーザがホームシアターシステムに対面したときに、ユーザにとっての右及び左に対応する。
【００２７】
本実施形態に係るスピーカシステム３の外観構成について、図２を参照して説明する。図２は、本実施形態に係るスピーカシステム３を外部より見た場合の斜視図である。
【００２８】
図２に示すように、スピーカシステム３は、一体型のマルチチャンネルサラウンドシステムであって、スピーカハウジング３０と、スピーカ制御部３１とを有する。
【００２９】
スピーカハウジング３０は、複数のスピーカを収容する。そのためにスピーカハウジング３０は、フロントパネル３０Ｆ、リアパネル３０ＲＥ、左サイドパネル３０Ｌ、右サイドパネル３０Ｒ、トップパネル３０Ｔ、及びベースパネル３０Ｂを有する。また、スピーカハウジング３０は、水平方向の長さが垂直方向の長さよりも長い、四角柱状に形成される。
【００３０】
フロントパネル３０Ｆは、スピーカハウジング３０のフロントのパネルであり、スピーカハウジング３０の前面を覆う前面板である。このフロントパネル３０Ｆは、ネットグリル３０１と、表示パネル３０２と、を有する。
【００３１】
ネットグリル３０１は、スピーカからの音を通過させると共に、スピーカが外部に露出するのを防ぐ化粧板の役割をはたす前面パネルの一例である。前面パネルは、ネットグリル３０１に限られず、上記の役割をはたすパネルならば如何様にも構成可能である。表示パネル３０２は、音量・選択チャンネル・ステレオやモノラルなどの再生音質などのスピーカシステム３の駆動状態などを表示する。この表示パネル３０２は、例えば液晶表示装置やＦＬ（Fluorescent Lamp）表示装置などの表示装置で構成される。
【００３２】
また、このスピーカシステム３のフロント側には、スピーカシステム３の電源スイッチ３２が配置される。但し、この電源スイッチ３２の配置位置は、フロント側に限られず、サイド側やリア側、上側、下側であってもよい。尚、フロントパネル３０Ｆの表示パネル３０２には孔３０３が形成され、この孔３０３が電源スイッチ３２を外部に露出させる。
【００３３】
リアパネル３０ＲＥは、スピーカハウジング３０のリアのパネルであり、スピーカハウジング３０の背面を覆う背面板である。同様に、左サイドパネル３０Ｌ及び右サイドパネル３０Ｒは、スピーカハウジング３０のサイドのパネルであり、それぞれスピーカハウジング３０の側面を覆う側面板である。そして、トップパネル３０Ｔ及びベースパネル３０Ｂは、それぞれスピーカハウジング３０のアッパ（上方）又はボトム（下方）のパネルであり、スピーカハウジング３０の上面を覆う天板又は下面を覆う底板である。
【００３４】
スピーカ制御部３１は、このスピーカハウジング３０を制御する制御部であり、例えば駆動電源の供給、入力した複数の信号の出力切替、ステレオ又はモノラルなどの再生音質の切替、音量の調整などの制御を行う。また、このスピーカ制御部３１には、アンプが内蔵されてもよく、例えば入力した音声信号に所定の音像定位処理を行う音像処理回路が内蔵されてもよい。
【００３５】
フロントパネル３０Ｆを取り外した場合のスピーカシステム３の構成を図３に示す。
図３に示すように、フロントパネル３０Ｆ内部のスピーカシステム３のフロント側には、一式のフロントスピーカＳＰＬ、ＳＰＣ、ＳＰＲと、表示部３３が配置される。
【００３６】
フロントスピーカＳＰＬは、左用スピーカ（レフトスピーカ）でスピーカシステム３の左サイドに配置され、フロントスピーカＳＰＣは、中央用スピーカ（センタースピーカ）でスピーカシステム３のセンタに配置され、フロントスピーカＳＰＲは、右用スピーカ（ライトスピーカ）でスピーカシステム３の右サイドに配置される。このフロントスピーカＳＰＬ、ＳＰＣ、ＳＰＲが、３．０ｃｈのスピーカシステムを形成する。
【００３７】
表示部３３は、スピーカ制御部３１からスピーカシステム３の駆動状態を表した信号を受信して、表示パネル３０２にその駆動状態を表示させる。尚、この表示部３３を、表示装置で構成して、上記の表示パネル３０２を表示部３３からの光を透過するように構成してもよい。また、この表示部３３の位置に外部のリモートコントローラ等からの赤外線新を受信する受信機を更に配置してもよい。
【００３８】
一方、本実施形態に係るスピーカシステム３の背面及び側面をそれぞれ図４又は図５に示す。そして、リアパネル３０ＲＥを取り外した場合のスピーカシステム３の構成を図６に示す。
【００３９】
図４に示すように、左サイドパネル３０Ｌ及び右サイドパネル３０Ｒのそれぞれには、パネルを貫通した孔４１Ｌ又は孔４１Ｒが設けられる。また、図５に示すように、リアパネル３０ＲＥには、パネルを貫通した孔４１Ｌ、４１Ｒ、４２Ｌ、４２Ｒ、４３Ｌ、４３Ｒが形成されている。また、図６に示すように、リアパネル３０ＲＥ内部のスピーカシステム３のリア側には、一式のサラウンドスピーカＳＳＬ、ＳＳＲと、一式のウーファスピーカＷＳＬ、ＷＳＲとが配置される。つまり、サラウンドスピーカＳＳＬ、ＳＳＲと、ウーファスピーカＷＳＬ、ＷＳＲのフロントキャビネットは、スピーカシステム３のリア側に設けられる。
【００４０】
サラウンドスピーカＳＳＬは、左用サラウンドスピーカ（左リアスピーカ）で、スピーカシステム３のリア側の左サイドに配置され、サラウンドスピーカＳＳＲは、右用サラウンドスピーカ（右リアスピーカ）で、スピーカシステム３のリア側の右サイドに配置される。このサラウンドスピーカＳＳＬ、ＳＳＲは、スピーカシステム３のリア方向に向けて配置される。つまり、サラウンドスピーカＳＳＬ、ＳＳＲの音声を発するコーン部が、スピーカシステム３のリア方向に向けて配置され、このサラウンドスピーカＳＳＬ、ＳＳＲからの音は、スピーカシステム３の後方に向けて発せられる。
【００４１】
尚、通常のユーザのリア方向に配置されたサラウンドスピーカと同様の音像を、サラウンドスピーカＳＳＬ、ＳＳＲが再生できるように、上記のスピーカ制御部３１内の音像処理回路において仮想音像処理を施した駆動信号が、サラウンドスピーカＳＳＬ、ＳＳＲに供給されることが望ましい。
【００４２】
ウーファスピーカＷＳＬは、ウーファの左用スピーカ（左ウーファスピーカ）で、スピーカシステム３のリア側の左サイドにおいて、サラウンドスピーカＳＳＬよりも内側に配置される。そして、ウーファスピーカＷＳＲは、ウーファの右用スピーカ（右ウーファスピーカ）で、スピーカシステム３のリア側の右サイドにおいて、サラウンドスピーカＳＳＲよりも内側に配置される。このウーファスピーカＷＳＬ、ＷＳＲも、スピーカシステム３のリア方向に向けて配置される。つまり、ウーファスピーカＷＳＬ、ＷＳＲの音声を発するコーン部が、スピーカシステム３のリア方向に向けて配置され、このウーファスピーカＷＳＬ、ＷＳＲの前面からの音は、スピーカシステム３のリア方向に向けて発せられる。尚、このウーファスピーカＷＳＬ、ＷＳＲのコーン部の背面（ｘ軸正の方向の面）から発せられる音は、バスレフダクトに供給されるが、このバスレフダクトについては後述する。
【００４３】
この一式のサラウンドスピーカＳＳＬ、ＳＳＲと、一式のウーファスピーカＷＳＬ、ＷＳＲとは、上記の一式のフロントスピーカＳＰＬ、ＳＰＲ、ＳＰＣと共に５．１ｃｈのサラウンドスピーカシステムを構成する。尚、スピーカシステム３が７．１ｃｈのサラウンドスピーカシステムの場合、さらに左右２つのサラウンドスピーカを備えてもよく、このサラウンドスピーカも、サラウンドスピーカＳＳＬ、ＳＳＲと同様にスピーカシステム３のリア側に配置されうる。
【００４４】
また、サラウンドスピーカＳＳＬ、ＳＳＲから発せられた音声は、左右サイドパネル３０Ｌ、３０Ｒに設けられた孔４１Ｌ、４１Ｒ、又はリアパネル３０ＲＥに設けられた孔４２Ｌ、４２Ｒを介して外部に伝達される。同様に、ウーファスピーカＷＳＬ、ＷＳＲのコーン部前面から発せられた音声は、リアパネル３０ＲＥに設けられた孔４３Ｌ、４３Ｒを介して外部に伝達される。この孔４１Ｌ、４１Ｒ、４２Ｌ、４２Ｒ、４３Ｌ、４３Ｒを図７及び図８に示す。
【００４５】
図７には、リアパネル３０ＲＥ、トップパネル３０Ｔ、ベースパネル３０Ｂ及び左サイドパネル３０Ｌをフロント方向の右斜め上方からリア方向に向けて見た場合を示す。尚、図７には、スピーカハウジング３０の左サイドに形成された孔４１Ｌ、４２Ｌ、４３Ｌを示すが、孔４１Ｒ、４２Ｒ、４３Ｒは、これらと左右対称に形成される。よって、孔４１Ｌ、４２Ｌ、４３Ｒについて以下では説明し、孔４１Ｒ、４２Ｒ、４３Ｒについての説明は省略する。
【００４６】
孔４２Ｌは、サラウンドスピーカＳＳＬからの音の放射ポートであり、サラウンドスピーカＳＳＬに対応してリアパネル３０ＲＥに設けられ、図７に示すように、多孔として形成される。つまり、この孔４２Ｌは、複数の貫通孔により形成される。また、図８に示すように、孔４２Ｌの複数の貫通孔の中心Ｏ２が、サラウンドスピーカＳＳＬの中心Ｏ１から左サイド方向、かつ下方に偏心するように、孔４２Ｌは形成される。尚、孔４２Ｒは、孔４２Ｌと左右対称に同様に形成される。
【００４７】
このように、孔４２Ｒ、４２Ｌの中心Ｏ２が、それぞれサラウンドスピーカＳＳＲ、ＳＳＬの中心からサイド方向に偏心して設けられることにより、各サラウンドスピーカＳＳＲ、ＳＳＬから発せられた音を、スピーカシステム３のリア方向からサイド方向に回り込ませることができる。その結果、サラウンドスピーカＳＳＲ、ＳＳＬからの音を、実際のスピーカシステム３の幅（ｙ軸方向の長さ）よりも外側から発せられたようにユーザに認識させることができ、ユーザが聴く音声に厚みを持たせることができる。
【００４８】
また、孔４２Ｌの各孔は、その中心Ｏ２付近の孔が大きく形成され、中心Ｏ２から遠ざかる程小さく形成される。このような大きさで各孔を形成することにより、サラウンドスピーカＳＳＬからの音の分布を、孔４２Ｒの中心Ｏ２付近に集中させることができ、サラウンドスピーカＳＳＬからの音の方向を、中心Ｏ１と中心Ｏ２を結んだ方向に偏向させることができる。よって、この音を、さらにスピーカシステム３のリア方向よりもサイド方向に回り込ませることができる。
【００４９】
孔４１Ｌは、サラウンドスピーカＳＳＬからの音の放射ポートであり、図７に示すように、サラウンドスピーカＳＳＬに対応して左サイドパネル３０Ｌに設けられ、サラウンドスピーカＳＳＬと同程度の高さで形成される。尚、この孔４１Ｌの大きさは、サラウンドスピーカＳＳＬからの音の約５０パーセントが、この孔を通過して発せられるように設計されるのが望ましい。尚、孔４１Ｒは、孔４１Ｌと左右対称に同様に形成される。
【００５０】
この孔４１Ｌ、４１Ｒも、それぞれ孔４１Ｌ、４１Ｒから発せられるサラウンドスピーカＳＳＬ、ＳＳＲの音を、スピーカシステム３のリア方向よりもサイド方向に回り込ませることができ、サラウンドスピーカＳＳＲ、ＳＳＬからの音を、実際のスピーカシステム３の幅（ｙ軸方向の長さ）よりも外側から発せられたように、ユーザに認識させることができ、ユーザが聴く音声に厚みを持たせることができる。また、この孔４１Ｌ、４１Ｒは、孔４２Ｌ、４２Ｒに比べて、例えば壁面などのスピーカシステム３の後方の物体に反射する成分が少なく、直接サイド方向に回り込む成分が多いため、後方の物体の形状などに依存し難い音を発することができる。従って、この孔４１Ｌ、４１Ｒを有することにより、スピーカシステム３は、その背後の状態の影響を抑えた音場効果をユーザに与えることができる。
【００５１】
つまり、スピーカシステム３によれば、孔４１Ｌ、４１Ｒと、孔４２Ｌ、４２Ｒとを組み合わせ、孔４１Ｌ、４１Ｒによりスピーカシステム３のサイド方向に直接音を発すると共に、孔４２Ｌ、４２Ｒにより後方の物体に音の一部を反射させることにより拡散する。その結果、ユーザが聴く音声に更に厚みを持たせることができる。よって、サラウンドスピーカＳＳＲ、ＳＳＬからの音質を向上させることができる。
【００５２】
孔４３Ｌは、ウーファスピーカＷＳＬに対応してリアパネル３０ＲＥに設けられ、図７に示すように、多孔として形成される。つまり、この孔４３Ｌは、複数の貫通孔により形成される。また、図８に示すように、孔４３Ｌの複数の貫通孔の中心Ｏ３は、ウーファスピーカＷＳＬの中心と一致するように形成される。そして、孔４３Ｌの各孔は、その中心Ｏ３から所定の距離をおいて、中心Ｏ３に対して放射状に配置される。尚、孔４３Ｒは、孔４３Ｌと左右対称に同様に形成される。
【００５３】
この孔４３Ｌ、４３Ｒは、ウーファスピーカＷＳＬ、ＷＳＲからの音をスピーカシステム３の後方の物体に反射させることにより、拡散させることができ、孔４３Ｌの各孔を中心Ｏ３から所定の距離をおいて放射状に配置することにより、ウーファスピーカＷＳＬ、ＷＳＲからの音を更に拡散させることができる。ウーファスピーカＷＳＬ、ＷＳＲから発せられる音は、低音であり指向性が低く、このように低音の音を拡散させることで、より臨場感のある音をユーザに提供することができる。
【００５４】
このスピーカシステム３によれば、サラウンドスピーカＳＳＬ、ＳＳＲとウーファスピーカＷＳＬ、ＷＳＲをリア方向に向けて配置することができるため、ユーザに対面したフロントパネルにおいてこれらのスピーカを配置する面積を節約することができ、かつ、設計上の自由度が高まる。従って、スピーカシステム３を小型にしたり、目立たない構造にすることが可能であり、配置空間と調和することが可能となる。更に、上記の孔４１Ｌ、４１Ｒ、４２Ｌ、４２Ｒ、４３Ｌ、４３Ｒにより、ユーザの前方には位置されたサラウンドスピーカＳＳＬ、ＳＳＲとウーファスピーカＷＳＬ、ＷＳＲから発せられる音の音質を向上させることができる。
【００５５】
また、図７に示すように、スピーカシステム３は、更に音質を向上させるために、リブ５１Ｌと張出部５２Ｌとを備える。なお、上記同様、スピーカシステム３は、このリブ５１Ｌ及び張出部５２Ｌと左右対称に、リブ５１Ｒ及び張出部５２Ｒ（図示せず）を備える。
【００５６】
リブ５１Ｌは、サラウンドスピーカＳＳＬに対応して設けられる。つまり、リブ５１Ｌは、リアパネル３０ＲＥの内側（フロント方向）の孔４２Ｌ周囲において、孔４１Ｌが形成された一方を除く、三方に形成された仕切り板である。また、組立時にリブ５１Ｌのフロント側（ｘ軸正の方向）の端部は、サラウンドスピーカＳＳＬの外周と接触する。尚、リブ５１Ｒは、リブ５１Ｌと左右対称に同様に形成される。
【００５７】
張出部５２Ｌは、ウーファスピーカＷＳＬに対応して、リアパネル３０ＲＥの一部をリア方向に張出させることにより形成される。そして、張出部５２ＬにはウーファスピーカＷＳＬのコーン部の前方が収容可能であり、上記孔４３Ｌは、この張出部５２Ｌに形成される。この張出部５２Ｌの周囲（張出部５２Ｌがリアパネル３０ＲＥの面内から張り出した付け根部分）は、ウーファスピーカＷＳＬの外周と接触する。尚、張出部５２Ｒは、張出部５２Ｌと左右対称に同様に形成される。
【００５８】
従って、このリブ５１Ｌ、５１Ｒと張出部５２Ｌ、５２Ｒとは、それぞれサラウンドスピーカＳＳＬ、ＳＳＲからの音と、ウーファスピーカＷＳＬ、ＷＳＲからの音とを相互の遮断して、干渉しあうことを防ぐことができる。よって、サラウンドスピーカＳＳＬ、ＳＳＲとウーファスピーカＷＳＬ、ＷＳＲから発せられる音の音質をさらに向上させることができる。
【００５９】
また、スピーカシステム３は、更にウーファスピーカＷＳＬ、ＷＳＲからの低音の音質を向上させるためにバスレフダクトを有する。このバスレフダクトについて、図９及び図１０を参照して説明する。
【００６０】
図９には、本実施形態に係るスピーカシステム３の底面、つまりベースパネル３０Ｂを示す。また、図１０には、本実施形態に係るスピーカシステム３の内部構造を概略的に示す。
【００６１】
図９に示すように、スピーカシステム３を下方から見ると、スピーカ制御部３１の下方には、所定の配線を接続することが可能なコネクター部３４が形成される。つまり、このコネクター部３４に接続された配線を介して、スピーカシステム３への音声信号が供給される。更に、スピーカシステム３のベースパネル３０Ｂには、左右方向のほぼ中心付近に開口部６０が形成される。この開口部６０は、ウーファスピーカＷＳＬ、ＷＳＲからのバスレフダクトの出口である。
【００６２】
図１０に示すように、バスレフダクトＤＬ、ＤＲは、スピーカシステム３の内部に形成された空間であり、それぞれウーファスピーカＷＳＬ、ＷＳＲのコーン部の背面（フロント方向の面）からの音を、開口部６０へと伝達させる。つまり、バスレフダクトＤＬ、ＤＲは、ウーファスピーカＷＳＬ、ＷＳＲの後方からセンタ方向に向かって延伸して、ベースパネル３０Ｂに形成された開口部６０において開口している。また、バスレフダクトＤＬ、ＤＲは、それぞれリブ６１Ｌ、６１Ｒにより経路が蛇行するように区画され、蛇腹状に形成される。蛇腹状の形状を有して低音が通過する経路長が延長されている。これにより、バスレフダクトＤＬ、ＤＲは、共鳴させる音の波長をのばすことができ、重低音を共鳴させて増強させることができる。
【００６３】
更に、図９及び図１０に示すようにバスレフダクトＤＬ、ＤＲの出口である開口部６０は、フレア状に形成される。つまり、開口部の左右両サイドの端部には、緩やかな曲線状のスロープであるフレア部６２Ｌ、６２Ｒが形成される。このフレア部６２Ｌ、６２Ｒは、指向性の低い低音域の音を、遮蔽することなく拡散させて発することができる。
【００６４】
このように構成されたバスレフダクトＤＬ、ＤＲは、共鳴させた低音をスピーカシステム３の下方に発することができる。また、スピーカシステム３は、その底面が開放された状態で中空に配置可能であり、ウーファスピーカＷＳＬ、ＷＳＲからの低音を、床面に置いて反射かつ拡散させることにより、更に音質を高めることが可能である。つまり、ウーファスピーカＷＳＬ、ＷＳＲのコーン部の前面からの音は、リア側に発せられて後方の物体により散乱される。そして、ウーファスピーカＷＳＬ、ＷＳＲのコーン部の背面からの音は、下方に発せられて床面により散乱させる。従って、前面及び背面からの両低音を拡散させつつ、共鳴させることができ、音質を更に向上させることができる。
【００６５】
更に、このスピーカシステム３によれば、バスレフダクトＤＬ、ＤＲの開口部６０を下方向に形成することにより、ユーザがこの開口部６０を視覚的に認識することを防ぐことができる。つまり、スピーカシステム３は、上記各スピーカだけでなく、目立たない位置にバスレフダクトＤＬ、ＤＲをも収容することが可能である。
【００６６】
＜第２実施形態＞
以上、本発明の第１実施形態に係るスピーカシステム３について説明した。
次に、図１１を参照して、本発明の第２実施形態に係るスピーカシステムにいて説明する。
【００６７】
本実施形態に係るスピーカシステム７は、更に音質を高めるために、上記第１実施形態に係るスピーカシステム３が有する構成に加えて、リブ７１Ｌ、７１Ｒを有する。このリブ７１Ｌ、７１Ｒを図１１の（Ａ）に示す。尚、本実施形態に係るスピーカシステム７の他の構成は、上記第１実施形態に係るスピーカシステム３の構成と同様であるため、ここでの詳しい説明は省略する。
【００６８】
図１１の（Ａ）に示すように、リブ７１Ｒは、サラウンドスピーカＳＳＲから孔４１Ｒを介して発せられた音を、スピーカシステム７の右サイド方向及びユーザの右方向に反射する反射板の一例である。このリブ７１Ｒは、孔４１Ｒのリア側において、外側の右サイド方向に張り出して形成される。また、リブ７１Ｒは、孔４１Ｒから離れるにつれて、リアパネル３０ＲＥの面上からフロント側に張り出して形成される。つまり、リブ７１Ｒは、フロント側に傾斜した面７１１を有する。尚、リブ７１Ｌ（図示せず）は、リブ７１Ｒと左右対称に孔４１Ｌに対応して形成される。
【００６９】
また、リブ７１Ｒ、７１Ｌの傾斜した面７１１は、図１１の（Ａ）に示すように、例えば平面の板状に形成される場合を示す。しかし、本発明はかかる例に限定されず、例えば、図１１の（Ｂ）に示すように、曲面の板状に形成されてもよい。
【００７０】
つまり、図１１の（Ｂ）に示すように、スピーカシステム７は、リブ７１Ｌ、７１Ｒの代わりに、リブ７２Ｌ、７２Ｒを有し、このリブ７２Ｌ、７２Ｒは、フロント側に傾斜し、かつ、フロント側に湾曲した面７２１を有してもよい。尚、リブ７２Ｌ（図示せず）も、リブ７２Ｒと左右対称に孔４２Ｌに対応して形成される。
【００７１】
このように孔４１Ｌ、４１Ｒのリア側に形成されたリブ７１Ｌ、７１Ｒ又はリブ７２Ｌ、７２Ｒは、孔４１Ｌ、４１Ｒから発せられる音を、リア方向よりもサイド方向に回り込ませるだけでなく、更にユーザの左右へと回り込ませることができる。よって、スピーカシステム７は、スピーカシステム３が奏する効果に加えて、更にユーザが聴く音声に厚みを加えて音質を向上させることができる。
【００７２】
以上、添付図面を参照しながら本発明の好適な実施形態について詳細に説明したが、本発明はかかる例に限定されないことは言うまでもない。本発明の属する技術の分野における通常の知識を有する者であれば、特許請求の範囲に記載された技術的思想の範疇内において、各種の変更例または修正例に想到し得ることは明らかであり、それらについても当然に本発明の技術的範囲に属するものと了解される。
【００７３】
また、上記実施形態では、孔４２Ｌ、４２Ｒ又は孔４３Ｌ、４３Ｒの各孔は、図８等に示すように、円形に形成されるが、本発明はかかる例に限定されず、例えば四角形や六角形、多角形、楕円形などの様々な形状であってもよい。そして、孔４２Ｌ、４２Ｒ又は孔４３Ｌ、４３Ｒの位置に例えばネットグリルなどを配置して、このネットグリルの孔を孔４２Ｌ、４２Ｒ又は孔４３Ｌ、４３Ｒとして使用することも可能である。
【００７４】
また、上記実施形態では、孔４１Ｌ、４１Ｒは、図７等に示すように、１つの長方形に形成されるが、本発明はかかる例に限定されず、例えば、孔４２Ｌ、４２Ｒ等のように複数の孔で構成されてもよく、例えば円形や四角形、六角形、多角形、楕円形などの様々な形状であってもよい。
【００７５】
更に、上記実施形態では、リブ７１Ｌ、７１Ｒ又はリブ７２Ｌ、７２Ｒとして、図１１には、孔４１Ｌ、４１Ｒのリア側に形成された略長方形の板状に示したが、本発明はかかる例に限定されない。例えば、このリブとして、三角柱状の部材を使用したり、孔４１Ｌ、４１Ｒのリア側だけでなく、上方及び下方を覆う形状に形成することも可能である。
【図面の簡単な説明】
【００７６】
【図１】本発明の第１実施形態に係るスピーカシステムを有するホームシアターシステムを説明するための説明図である。
【図２】同実施形態に係るスピーカシステムを外部より見た場合の斜視図である。
【図３】同実施形態に係るスピーカシステムのフロントパネル内部の構成を説明するための説明図である。
【図４】同実施形態に係るスピーカシステムの側面を説明するための説明図である。
【図５】同実施形態に係るスピーカシステムの背面を説明するための説明図である。
【図６】同実施形態に係るスピーカシステムのリアパネル内部の構成を説明するための説明図である。
【図７】同実施形態に係るスピーカシステムのリアパネル及びサイドパネルに設けられた孔を説明するための説明図である。
【図８】同実施形態に係るスピーカシステムのリアパネルに設けられた孔とスピーカとの位置関係を説明するための説明図である。
【図９】同実施形態に係るスピーカシステムの底面を説明するための説明図である。
【図１０】同実施形態に係るスピーカシステムが有するバスレフダクトを説明するための説明図である。
【図１１】本発明の第２実施形態に係るスピーカシステムを説明するための説明図である。
【符号の説明】
【００７７】
１        Ｌ字スタンド
２        平板表示装置
３、７    スピーカシステム
３０      スピーカハウジング
３０Ｆ    フロントパネル
３０１    ネットグリル
３０２    表示パネル
３０ＲＥ  リアパネル
３０Ｌ    左サイドパネル
３０Ｒ    右サイドパネル
３０Ｔ    トップパネル
３０Ｂ    ベースパネル
３１      スピーカ制御部
３２      電源スイッチ
３３      表示部
４１Ｌ、４１Ｒ    孔
４２Ｌ、４２Ｒ    孔
４３Ｌ、４３Ｒ    孔
５１Ｌ、５１Ｒ    リブ
５２Ｌ、５２Ｒ    張出部
６０              開口部
６１Ｌ、６１Ｒ    リブ
６２Ｌ、６２Ｒ    フレア部
７１Ｌ、７１Ｒ    リブ
７２Ｌ、７２Ｒ    リブ
ＳＰＬ、ＳＰＲ、ＳＰＣ    フロントスピーカ
ＳＳＬ、ＳＳＲ    サラウンドスピーカ
ＷＳＬ、ＷＳＲ    ウーファスピーカ
ＤＬ、ＤＲ        バスレフダクト
【図１】
2009055450.tif 000003
【図２】
2009055450.tif 000004
【図３】
2009055450.tif 000005
【図４】
2009055450.tif 000006
【図５】
2009055450.tif 000007
【図６】
2009055450.tif 000008
【図７】
2009055450.tif 000009
【図８】
2009055450.tif 000010
【図９】
2009055450.tif 000011
【図１０】
2009055450.tif 000012
【図１１】
2009055450.tif 000013